【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
冷却水が循環する経路の途中に設けられるリザーブタンク（１０）であって、
冷却水の気液を分離するための内部空間（ＳＰ）が形成されている気液分離部（１００）と、
前記内部空間に冷却水を供給するための第１開口（１２１，１２２）が形成された入口部（１２０）と、
前記内部空間から冷却水を排出するための第２開口（１３１）が形成された出口部（１３０）と、
前記内部空間の底から上方側に向けて突出する突出部（１１０）と、を備え、
水平面に沿った断面においては、前記気液分離部の内周面（１０１）の形状、及び前記突出部の外周面（１１１）の形状が、互いに同心の円となるように、前記気液分離部及び前記突出部が形成されており、
前記内部空間のうち、前記気液分離部の内周面と、前記突出部の外周面と、の間の部分が環状流路（ＦＰ）となっており、
前記第１開口から流入した冷却水が、前記環状流路を旋回して流れるように構成されており、
水平面に沿った断面における前記突出部の外周面の形状が、上方側に行くほど小さくなっているリザーブタンク。
【請求項２】
前記第１開口の中心（ＣＴ１，ＣＴ１１）の位置が、前記第２開口の中心（ＣＴ２）の位置よりも高い、請求項１に記載のリザーブタンク。
【請求項３】
冷却水が循環する経路の途中に設けられるリザーブタンク（１０）であって、
冷却水の気液を分離するための内部空間（ＳＰ）が形成されている気液分離部（１００）と、
前記内部空間に冷却水を供給するための第１開口（１２１，１２２）が形成された入口部（１２０）と、
前記内部空間から冷却水を排出するための第２開口（１３１）が形成された出口部（１３０）と、
前記内部空間の底から上方側に向けて突出する突出部（１１０）と、を備え、
水平面に沿った断面においては、前記気液分離部の内周面（１０１）の形状、及び前記突出部の外周面（１１１）の形状が、互いに同心の円となるように、前記気液分離部及び前記突出部が形成されており、
前記内部空間のうち、前記気液分離部の内周面と、前記突出部の外周面と、の間の部分が環状流路（ＦＰ）となっており、
前記第１開口から流入した冷却水が、前記環状流路を旋回して流れるように構成されており、
前記突出部の外周面には、螺旋状の凹部（１１２）又は凸部（１１３）が形成されているリザーブタンク。
【請求項４】
前記環状流路を旋回して流れる冷却水の流れが、前記第１開口から前記内部空間へと供給された直後の冷却水の流れに干渉してしまうことを防止するための干渉防止壁（１２５）が設けられている、請求項１乃至３のいずれか１項に記載のリザーブタンク。
【請求項５】
前記入口部は、前記気液分離部の内周面から前記内部空間に向けて突出しており、
前記入口部の一部が前記突出部に繋がっている、請求項１乃至４のいずれか１項に記載のリザーブタンク。
【請求項６】
冷却水が循環する経路の途中に設けられるリザーブタンク（１０）であって、
冷却水の気液を分離するための内部空間（ＳＰ）が形成されている気液分離部（１００）と、
前記内部空間に冷却水を供給するための第１開口（１２１，１２２）が形成された入口部（１２０）と、
前記内部空間から冷却水を排出するための第２開口（１３１）が形成された出口部（１３０）と、
前記内部空間の底から上方側に向けて突出する突出部（１１０）と、を備え、
水平面に沿った断面においては、前記気液分離部の内周面（１０１）の形状、及び前記突出部の外周面（１１１）の形状が、互いに同心の円となるように、前記気液分離部及び前記突出部が形成されており、
前記内部空間のうち、前記気液分離部の内周面と、前記突出部の外周面と、の間の部分が環状流路（ＦＰ）となっており、
前記第１開口から流入した冷却水が、前記環状流路を旋回して流れるように構成されており、
前記第２開口のうちの少なくとも一部が、前記突出部の外周面に形成されているリザーブタンク。
【請求項７】
前記気液分離部の内周面のうち、少なくとも下方側の部分においては、
水平面に沿った断面における前記気液分離部の内周面の形状が、下方側に行くほど小さくなっている、請求項１乃至６のいずれか１項に記載のリザーブタンク。
【請求項８】
前記突出部の上端の位置は、前記気液分離部における下限水位の位置よりも低い、請求項１乃至７のいずれか１項に記載のリザーブタンク。
【請求項９】
上下方向に沿って見た場合においては、
前記第２開口の中心（ＣＴ２）から前記突出部の中心（ＣＴ０）までの距離が、前記第１開口の中心（ＣＴ１，ＣＴ１１）から前記突出部の中心までの距離よりも小さい、請求項１乃至８のいずれか１項に記載のリザーブタンク。
【請求項１０】
上下方向に沿って見た場合においては、
前記環状流路に沿って、前記第１開口の中心から前記第２開口の中心に至るまでの角度（θ）が９０度以上である、請求項１乃至９のいずれか１項に記載のリザーブタンク。
【請求項１１】
冷却水が循環する経路の途中に設けられるリザーブタンク（１０）であって、
冷却水の気液を分離するための内部空間（ＳＰ）が形成されている気液分離部（１００）と、
前記内部空間に冷却水を供給するための第１開口（１２１，１２２）が形成された入口部（１２０）と、
前記内部空間から冷却水を排出するための第２開口（１３１）が形成された出口部（１３０）と、
前記内部空間の底から上方側に向けて突出する突出部（１１０）と、を備え、
水平面に沿った断面においては、前記気液分離部の内周面（１０１）の形状、及び前記突出部の外周面（１１１）の形状が、互いに同心の円となるように、前記気液分離部及び前記突出部が形成されており、
前記内部空間のうち、前記気液分離部の内周面と、前記突出部の外周面と、の間の部分が環状流路（ＦＰ）となっており、
前記第１開口から流入した冷却水が、前記環状流路を旋回して流れるように構成されており、
前記第１開口が、前記気液分離部の底面（１０２）に形成されているリザーブタンク。
【請求項１２】
冷却水が循環する経路の途中に設けられるリザーブタンク（１０）であって、
冷却水の気液を分離するための内部空間（ＳＰ）が形成されている気液分離部（１００）と、
前記内部空間に冷却水を供給するための第１開口（１２１，１２２）が形成された入口部（１２０）と、
前記内部空間から冷却水を排出するための第２開口（１３１）が形成された出口部（１３０）と、
前記内部空間の底から上方側に向けて突出する突出部（１１０）と、を備え、
水平面に沿った断面においては、前記気液分離部の内周面（１０１）の形状、及び前記突出部の外周面（１１１）の形状が、互いに同心の円となるように、前記気液分離部及び前記突出部が形成されており、
前記内部空間のうち、前記気液分離部の内周面と、前記突出部の外周面と、の間の部分が環状流路（ＦＰ）となっており、
前記第１開口から流入した冷却水が、前記環状流路を旋回して流れるように構成されており、
前記第２開口が、前記気液分離部の内周面に形成されているリザーブタンク。
【手続補正２】
【補正対象書類名】明細書
【補正対象項目名】００１１
【補正方法】変更
【補正の内容】
【００１１】
本開示に係るリザーブタンクは、冷却水が循環する経路の途中に設けられるリザーブタンク（１０）であって、冷却水の気液を分離するための内部空間（ＳＰ）が形成されている気液分離部（１００）と、内部空間に冷却水を供給するための第１開口（１２１，１２２）が形成された入口部（１２０）と、内部空間から冷却水を排出するための第２開口（１３１）が形成された出口部（１３０）と、内部空間の底から上方側に向けて突出する突出部（１１０）と、を備える。水平面に沿った断面においては、気液分離部の内周面（１０１）の形状、及び突出部の外周面（１１１）の形状が、互いに同心の円となるように、気液分離部及び突出部が形成されている。内部空間のうち、気液分離部の内周面と、突出部の外周面と、の間の部分が環状流路（ＦＰ）となっている。このリザーブタンクは、第１開口から流入した冷却水が、環状流路を旋回して流れるように構成されている。水平面に沿った断面における突出部の外周面の形状は、上方側に行くほど小さくなっている。